(57)【要約】【課題】  プロファイルの調整を容易にする。【解決手段】  ソースデバイスに依存する色データをデスティネーションデバイスに依存する色データに変換するプロファイルと、前記プロファイルの生成に使用された生成情報とを取得する(S501〜S503)。プロファイルの調整条件を入力し(S505)、プロファイルに格納されたデスティネーションデバイスに依存する色データから生成情報を用いてデバイス非依存色空間上の色データを計算する(S506)。計算された色データに調整条件に応じた調整を施し(S507)、調整が施された色データを生成情報を用いてデスティネーションデバイスに依存する色データに変換する(S508)。そして、プロファイルに格納されたデスティネーションデバイスに依存する色データを、変換によって得たデスティネーションデバイスに依存する色データに置き換える(S509)。【選択図】  図4
2010109754.tif 000002
【特許請求の範囲】
【請求項１】
ソースデバイスに依存する色データをデスティネーションデバイスに依存する色データに変換するプロファイルと、前記プロファイルの生成に使用された生成情報とを取得する取得手段と、
前記プロファイルのデバイス非依存色空間上で指示された調整条件を入力する入力手段と、
前記プロファイルに格納されたデスティネーションデバイスに依存する色データから前記生成情報を用いて前記デバイス非依存色空間上の色データを計算する計算手段と、
前記計算された色データに前記調整条件に応じた調整を施す調整手段と、
前記調整が施された色データを前記生成情報を用いてデスティネーションデバイスに依存する色データに変換する変換手段と、
前記プロファイルに格納されたデスティネーションデバイスに依存する色データを、前記変換によって得たデスティネーションデバイスに依存する色データに置き換える置換手段とを有することを特徴とする色処理装置。
【請求項２】
さらに、前記プロファイルを生成した際の情報を前記生成情報に基づき報知する報知手段を有することを特徴とする請求項1に記載された色処理装置。
【請求項３】
さらに、前記調整条件を調整履歴として前記生成情報に記録する記録手段を有することを特徴とする請求項1または請求項2に記載された色処理装置。
【請求項４】
前記計算手段は、前記調整条件として前記ソースデバイスの色空間の値で表される調整色を、前記プロファイルを用いて前記デスティネーションデバイスに依存する色データに変換し、前記色データを前記生成情報に基づき前記デバイス非依存色空間上の色データに変換することを特徴とする請求項1から請求項3の何れか一項に記載された色処理装置。
【請求項５】
前記生成情報は、少なくとも前記デスティネーションデバイスの出力の観察条件と、前記デスティネーションデバイスのデバイス特性を示す情報を含むことを特徴とする請求項1から請求項4の何れか一項に記載された色処理装置。
【請求項６】
前記調整条件は前記調整手段による調整が影響する色の範囲を示す情報を含み、前記計算手段、調整手段、変換手段および置換手段は、前記範囲に含まれる色について前記計算、調整、変換および置換を行うことを特徴とする請求項４から請求項5の何れか一項に記載された色処理装置。
【請求項７】
前記調整手段は、前記調整条件が示す調整量を前記調整色に対応する前記デバイス非依存色空間上の色データに加算し、前記調整色と前記範囲に含まれる色の距離に応じて前記調整量を重み付けした値を前記範囲に含まれる前記計算された色データに加算することを特徴とする請求項6に記載された色処理装置。
【請求項８】
ソースデバイスに依存する色データをデスティネーションデバイスに依存する色データに変換するプロファイルと、前記プロファイルの生成に使用された生成情報とを取得し、
前記プロファイルの、デバイス非依存色空間上で指示された調整条件を入力し、
前記プロファイルに格納されたデスティネーションデバイスに依存する色データから前記生成情報を用いて前記デバイス非依存色空間上の色データを計算し、
前記計算された色データに前記調整条件に応じた調整を施し、
前記調整が施された色データを前記生成情報を用いてデスティネーションデバイスに依存する色データに変換し、
前記プロファイルに格納されたデスティネーションデバイスに依存する色データを、前記変換によって得たデスティネーションデバイスに依存する色データに置き換えることを特徴とする色処理方法。
【請求項９】
コンピュータ装置を制御して、請求項1から請求項7の何れか一項に記載された色処理装置の各手段として機能させることを特徴とするプログラム。
【請求項１０】
請求項9に記載されたプログラムが記録されたことを特徴とするコンピュータが読み取り可能な記録媒体。
【発明の詳細な説明】
【技術分野】
【０００１】
本発明は、ソースデバイスに依存する色データをデスティネーションデバイスに依存する色データに変換するプロファイルを調整する色処理に関する。
【背景技術】
【０００２】
モニタやプリンタなど、カラー画像を出力するデバイスが扱う色空間は、そのデバイスに関連する色空間である。そのため、デバイスにカラー画像を出力させる場合は、そのカラー画像の画像データを、そのデバイスの色空間の画像データに変換する必要がある。
【０００３】
また、種類が異なるデバイスの間では、色域の形状や大きさが異なる。従って、あるデバイスで再現可能なカラー画像を、そのデバイスよりも色域が狭いデバイスに出力させた場合、全く同じ色のカラー画像を再現できるとは限らない。そのため、色域が狭いデバイスが再現できない色を再現させるための色域マッピングが必要になる。
【０００４】
これら色変換には様々な方法があり、カラー画像の用途、デバイスや出力メディアの種類、カラー画像の観察環境などを組み合わせた条件ごとに色変換処理を設計する。そして、条件に対応付けたプロファイルに色変換処理を記述する。プロファイルには、ソースデバイスの色信号（以下、入力信号）とデスティネーションデバイスの色信号（以下、出力信号）の関係を示す変換テーブル、変換マトリクスまたは変換関数（以下、色変換テーブル）を記述する。カラー画像を出力する場合、適当なプロファイルを指定することで、そのプロファイルに記述された色変換処理が画像データに施される。
【０００５】
プロファイルを用いる色変換処理において、色変換テーブルの変換精度が不足すれば、理想的な色変換結果は得られない。さらに、作成直後の色変換テーブルは充分な変換精度をもつとしても、デバイスの経年変化などによりデバイス特性が変化して、満足できる色変換結果が得られない場合もある。このような場合、色変換テーブルの再作成または調整が必要になる。
【０００６】
また、出力画像が評価される際、しばしば、ロゴの色、人物像の肌の色など画像上のある特定の色が意識される。ロゴの色は大概は特色であり、そのロゴを保有する企業により特色が異なる。また、肌色に代表される記憶色には個人差がある。つまり、すべてのユーザにとって好ましい色再現を得る色変換を一意に決定することは困難である。そこで、各ユーザにとってより好ましい色再現になり、かつ、ユーザが重視する色（重要色）の色再現が当該ユーザにとって良好になるように色変換テーブルを調整する。
【０００７】
ユーザが所望する色再現を得るために、色変換テーブルを調整する手段として、特許文献1が開示する色調修正装置がある。この装置は、調整指示として、被修正色、色修正の有効範囲、および、被修正色の調整目標である目標値をユーザから入力する。そして、被修正色に対応する出力色信号が目標値に一致するように、色変換テーブルを調整する。その際、色修正の有効範囲の指定を、人間の知覚色の三属性である明度L、彩度S、色相Hによって表し、有効範囲の指定を容易にする。通常、ソースデバイスの色信号をデスティネーションデバイスの色信号に変換する色変換テーブルには、デバイス色と知覚色の対応関係を示す記述は含まれない。そのため、特許文献1の発明は、RGB値からCIEXYZ値を計算し、CIEXYZ値からCIELab値を計算し、CIELab値からHSL値を計算するためのルックアップテーブル（図2の17）を備える。
【０００８】
特許文献1の発明は、目標値を出力信号値として入力する。従って、ユーザは、被修正色の目標値が、出力デバイスの色空間においてどのような色信号値で表現されるかを把握している必要がある。デバイス特性は機器ごとに異なり、目標値を出力デバイスの色信号値として適切に指示するには、当該デバイスに関する豊富な知識が要求される。
【０００９】
【特許文献１】特許2740436号公報
【発明の開示】
【発明が解決しようとする課題】
【００１０】
本発明は、プロファイルの調整を容易にすることを目的とする。
【課題を解決するための手段】
【００１１】
本発明は、前記の目的を達成する一手段として、以下の構成を備える。
【００１２】
本発明にかかる色処理は、ソースデバイスに依存する色データをデスティネーションデバイスに依存する色データに変換するプロファイルと、前記プロファイルの生成に使用された生成情報とを取得し、前記プロファイルの、デバイス非依存色空間上で指示された調整条件を入力し、前記プロファイルに格納されたデスティネーションデバイスに依存する色データから前記生成情報を用いて前記デバイス非依存色空間上の色データを計算し、前記計算された色データに前記調整条件に応じた調整を施し、前記調整が施された色データを前記生成情報を用いてデスティネーションデバイスに依存する色データに変換し、前記プロファイルに格納されたデスティネーションデバイスに依存する色データを、前記変換によって得たデスティネーションデバイスに依存する色データに置き換えることを特徴とする。
【発明の効果】
【００１３】
本発明によれば、プロファイルの調整が容易になる。
【発明を実施するための最良の形態】
【００１４】
以下、本発明にかかる実施例の色処理を図面を参照して詳細に説明する。
【実施例１】
【００１５】
［色変換の概要］
図1は色変換の概要を説明する図である。
【００１６】
色変換部203は、カラープロファイル201を使用して、ソースデバイスの色空間（入力色空間）で表された画像データ202をデスティネーションデバイスの色空間（出力色空間）の画像データ204に変換する。なお、入力色空間は、例えばRGB空間やCMYK空間である。また、出力空間は、例えば、デスティネーションデバイスがプリンタの場合、当該プリンタの記録材に対応する色材値によって表される色空間である。
【００１７】
図2はカラープロファイル201を生成する処理の概要を示す図である。
【００１８】
生成情報301は、ソースデバイス特性302、入力側観察条件303、マッピングパラメータ304、出力側観察条件305、デスティネーションデバイス特性306を含む。
【００１９】
各デバイス特性302、306には、例えば当該デバイスの再現色を測色した測色値、つまり測色光源（例えばD50）を基準とした特性値が記述されている。また、マッピングパラメータ304は写像関数である。各デバイス特性302、306やマッピングパラメータ304は、ルックアップテーブル(LUT)に代表される変換テーブル、あるいは、変換マトリクス、変換関数、色域情報などとして表現される。
【００２０】
入力側観察条件303は、例えばソースデバイスがモニタであれば、当該モニタを観察する環境における光源（以下、観察光源）の照度レベルや色温度、あるいは、当該モニタの白色点などの情報を含む。また、出力側観察条件305は、例えばデスティネーションデバイスがプリンタであれば印刷物を観察する環境における観察光源の照度レベルや色温度などの情報を含む。
【００２１】
入力変換部307は、ソースデバイス特性302および入力側観察条件303に基づき作成された変換テーブルを備え、入力色空間の入力データ321（例えばRGB）をデバイス非依存のデータ（例えば、XYZやLab）に変換する。色知覚モデル（例えばCIECAM02）の順変換部(CAM)308は、デバイス非依存のデータを入力側観察条件303に基づき人間の色知覚空間のデータ（例えば、JabやQMh）に変換する。なお、入力変換部307と順変換部(CAM)308を一つにまとめた変換テーブルとして第一の変換部309を構成してもよい。
【００２２】
入力変換部307の変換テーブルの作成方法は特許3305265号公報に記載されている。つまり、ソースデバイス特性302に含まれる測色光源基準のRGB→XYZ関係データのXYZ値に、測色条件に基づく色知覚モデルの順変換を施す。そして、順変換後のJab値に、入力側観察条件303に基づく色知覚モデルの逆変換を施して、観察光源基準のXYZ値に変換する。そして、観察光源基準のRGB→XYZ関係データからRGB→XYZの変換テーブルを作成する。
【００２３】
色域マッピング部310は、マッピングパラメータ304を用いて、色知覚空間のデータに色域マッピングを施す。
【００２４】
色知覚モデルの逆変換部311(CAM-1)は、色域マッピング後のデータを出力側観察条件305に基づきデバイス非依存のデータに変換する。出力変換部312は、デスティネーションデバイス特性306および出力側観察条件305に基づき作成された変換テーブルを備え、デバイス非依存のデータを出力色空間の出力データ322（例えばCMYK）に変換する。なお、逆変換部(CAM-1)311と出力変換部312を一つにまとめた変換テーブルとして第二の変換部313を構成してもよい。
【００２５】
出力変換部312の変換テーブルの作成方法も特許3305265号公報に記載されている。つまり、デスティネーションデバイス特性306に含まれる測色光源基準のCMYK→XYZ関係データのXYZ値に、測色条件に基づく色知覚モデルの順変換を施す。そして、順変換後のJab値に、出力側観察条件305に基づく色知覚モデルの逆変換を施して、観察光源基準のXYZ値に変換する。そして、観察光源基準のCMYK→XYZ関係データからXYZ→CMYKの変換テーブルを作成する。
【００２６】
このようにして、生成情報301に基づき、ソースデバイスの色信号（入力データ321）に対応するデスティネーションデバイスの色信号（出力データ322）を求める。そして、入力データ321と出力データ322の対応関係を示す色変換テーブルを所定フォーマット（例えば、ICCプロファイルフォーマット）のデータファイルにすることで、カラープロファイル201を生成する。なお、生成情報301は、カラープロファイル201に対応付けて別途保存するか、カラープロファイル201内に格納する。
【００２７】
カラープロファイル201と生成情報301を対応付ける方法としては、例えば次のような方法が考えられる。
【００２８】
カラープロファイル201を生成した際に、その生成に用いた各種デバイス特性、観察条件、マッピングパラメータを含む生成情報301を一つのデータファイルに記述する。そして、カラープロファイル201と生成情報301を拡張子を除き同一のファイル名として保存する。
【００２９】
さらに、カラープロファイル201に記述された生成日時などのキーワード情報を、生成情報301のデータファイルにも記述する。このような関連付けにより、生成情報301を取得した際、カラープロファイル201と生成情報301のそれぞれに記述されたキーワード情報が同一か否かを確認して、生成情報301の取得誤りを防ぐことが可能である。また、カラープロファイル201に格納されたLUTの格子点数やビット精度、その生成時の各種色補正処理の有無など、ユーザがカラープロファイル201の内容を確認する上で有用な情報を生成情報301のデータファイルに記述してもよい。
【００３０】
［装置の構成］
図3は実施例の色処理装置の構成例を示すブロック図である。
【００３１】
CPU401は、ランダムアクセスメモリ(RAM)403をワークメモリとして、リードオンリメモリ(ROM)402およびハードディスクドライブ(HDD)408に格納されたプログラムを実行する。そして、システムバス404を介して、後述する各構成を制御することで、後述する色調整処理を含む様々な処理を実行する。
【００３２】
入力インタフェイス(I/F)405は、キーボードやマウス、ディジタルカメラ、スキャナ、測色器などの入力デバイス406を接続する例えばUSB(Universal Serial Bus)やIEEE1394などのシリアルバスインタフェイスである。CPU401は、入力I/F405を介して、入力デバイス406からデータを読み込むことが可能である。
【００３３】
HDD I/F407は、HDD408や光ディスクドライブなどの二次記憶装置を接続する例えばシリアルATA(SATA)などのインタフェイスである。CPU401は、HDD I/F407を介して、HDD408からデータを読み出し、HDD408にデータを書き込むことが可能である。さらに、CPU401は、HDD408に格納されたデータをRAM403にロードし、同様に、RAM403が記憶するデータをHDD408に保存することができる。そして、CPU401は、RAM403にロードしたデータをプログラムと見做して実行することが可能である。
【００３４】
ビデオI/F409は、モニタ410を接続するインタフェイスである。CPU401は、ビデオI/F409を制御して、任意の文字、画像、ユーザインタフェイス(UI)をモニタ410に表示することができる。
【００３５】
出力I/F411は、プリンタ、プロッタ、フィルムレコーダなどの出力デバイス412を接続する例えばUSBなどのシリアルバスインタフェイスである。CPU401は、出力I/F411を介して、出力デバイス412にデータを送り、印刷や記録を実行させることができる。なお、USBなどの双方向通信インタフェイスを利用する場合、入力I/F405と出力I/F411は一つにまとめることができる。
【００３６】
ネットワークインタフェイスカード(NIC)413は、ネットワーク414に接続するためのインタフェイスである。
【００３７】
［色調整処理］
図4は色処理装置による色調整処理を説明するフローチャートである。なお、図4に示す処理手順を記述したコンピュータが実行可能なプログラムはROM402またはHDD408に予め格納されている。CPU401は、ユーザの指示に従い当該プログラムをRAM403にロードし、当該プログラムを実行することにより、色調整処理が開始される。
【００３８】
CPU401は、調整対象のカラープロファイル201を表すユーザ指示を入力するためのUIを表示し(S501)、ユーザ指示に従いカラープロファイル201をHDD408などから読み込む(S502)。CPU401は、通常、カラープロファイル201をRAM403にロードするが、カラープロファイル201のデータ量が大きい場合はHDD408の仮想メモリにロードしてもよい。なお、カラープロファイル201は、HDD408だけでなく、入力デバイス406やネットワーク414上のサーバから取得してもよい。
【００３９】
次に、CPU401は、カラープロファイル201から、または、カラープロファイル201に対応付けられた生成情報301を取得し、生成情報301の内容をUIに表示し、ユーザに報知する(S503)。図5はUIに表示される生成情報の一例を示す図である。ユーザは、プロファイル生成情報を参照して、調整対象のカラープロファイル201がどのような条件で生成されたかを確認し、カラープロファイル201の内容を詳細に把握することができる。
【００４０】
ユーザは、プロファイル生成情報を参照して、CPU401が読み出したカラープロファイル201が調整対象のカラープロファイルか否かを確認する。そして、調整対象のカラープロファイルであればOKボタン502を押し、調整対象のカラープロファイルではなければキャンセルボタン501を押す。CPU401は、OKボタン502が押されたかキャンセルボタン501が押されたかを判定し(S504)、キャンセルボタン501が押された場合は処理をステップS501に戻す。
【００４１】
ユーザがOKボタン502を押すと、CPU401は、ユーザが調整条件としての調整指示を入力するためのUIを表示する(S505)。調整指示は、被調整色とその調整量、被調整色を中心とする影響範囲を含む。被調整色はRGB値(Rt, Gt, Bt)、調整量はJCh値(Jd, Cd, hd)で与えられる。また、影響範囲は被調整色と同様にRGB値(±R, ±G, ±B)で与えられる。なお、調整量に合わせて影響範囲もJCh値(±J, ±C, ±h)で与えてもよい。ユーザが指示する被調整色とカラープロファイル201が格納する色変換テーブルの格子点が一致するとは限らない。その場合、ユーザが指示する被調整色に最も近い格子点の色を被調整色とする。あるいは、被調整色に対応する仮想格子点を設定して、仮想格子点を中心とする影響範囲に含まれる格子点の色を調整してもよい。以下では、ユーザが指示する被調整色とカラープロファイル201が格納する色変換テーブルの格子点が一致するとして、説明を行う。
【００４２】
CPU401は、被調整色に対応するデスティネーションデバイスの再現色の知覚値（JCh値）を計算する(S506)。
【００４３】
図6は色処理処理の機能構成例を示すブロック図である。
【００４４】
ステップS506において、被調整色(Rt, Gt, Bt)は、カラープロファイル201により、デスティネーションデバイスの色信号値(Ct, Mt, Yt, Kt)に変換される。色信号値(Ct, Mt, Yt, Kt)は、第三の変換部102によって、生成情報301中のデスティネーションデバイス特性306と出力側観察条件305を用いて、デバイス非依存色空間上の色データであるJCh値(Jt, Ct, ht)に変換される。
【００４５】
第三の変換部102は、逆入力変換部101と色知覚モデル（例えばCIECAM02）の順変換部(CAM)103を備える。逆入力変換部101は、デスティネーションデバイス特性306および出力側観察条件305に基づき作成された変換テーブルを備え、出力色空間の値（例えばCMYK値）をデバイス非依存のデータ（例えば、XYZやLab値）に変換する。順変換部(CAM)103は、変換されたデバイス非依存のデータを出力側観察条件305に基づき人間の色知覚空間のJCh値に変換する。なお、逆入力変換部101は、入力変換部307と同様の方法で作成することができる。
【００４６】
このようにして得られるJCh値(Jt, Ct, ht)は、被調整色の色データをカラープロファイル201を用いて色変換し、色変換した色データをデスティネーションデバイスが出力した色（再現色）に相当する。
【００４７】
次に、CPU401は、被調整色の再現色に相当するJCh値を調整量に基づき調整する(S507)。ステップS507において、調整量加算部104により、再現色(Jt, Ct, ht)にステップS505で入力した調整量(Jd, Cd, hd)が加算され、調整後の再現色(Je, Ce, he)になる。
Je = Jt + Jd
Ce = Ct + Cd      …(1)
he = ht + hd
【００４８】
次に、CPU401は、調整後の再現色(Je, Ce, he)をデスティネーションデバイスの色信号（例えばCMYK値）に変換する(S508)。ステップS508において、第二の変換部313により、調整後の再現色(Je, Ce, he)をデスティネーションデバイスの色信号(Ce, Me, Ye, Ke)に変換する。
【００４９】
なお、調整後の再現色(Je, Ce, he)を色域マッピングし、色域マッピングした再現色を第二の変換部313へ入力してもよい。そうすれば、調整後の再現色(Je, Ce, he)がデスティネーションデバイスの色域外になった場合も、ユーザが所望する調整後の再現色に近い色を示す色信号(Ce, Me, Ye, Ke)を得ることができる。
【００５０】
次に、CPU401は、カラープロファイル201に含まれる色変換テーブルによって規定された被調整色(Rt, Gt, Bt)に対応する出力信号値(Ct, Mt, Yt, Kt)を色信号(Ce, Me, Ye, Ke)に置き換える(S509)。
【００５１】
影響範囲に含まれる、色変換テーブルの格子点の色についても、ステップS506からS509の処理を繰り返して、調整後の色に対応する色信号を計算し、対応する出力信号値を置き換える。影響範囲に含まれる、色変換テーブルの格子点の色の調整量は、例えば、被調整色（中心）を1、影響範囲の境界を0として中心から減少する、中心からの距離に応じた重み値を調整指示が示す調整量に掛けた値にする。こうすれば、調整色と影響範囲外の調整しない色の間で色の連続性を保った色調整が可能になる。
【００５２】
次に、CPU401は、更新（出力信号値を置換）したカラープロファイル201をHDD408などに保存する(S510)。その際、調整履歴として調整指示を追加記録した生成情報301を、更新後のカラープロファイル201に対応する生成情報301として保存する(S511)。
【００５３】
［変形例］
上記では、被調整色を入力色空間の信号値で指定する例を説明したが、調整しようとする色を特定することができれば、どのような色空間の信号値で指定してもよい。例えば、被調整色をJCh値で指定した場合、被調整色からデスティネーションデバイスの色信号への変換を、カラープロファイル201ではなく、色域マッピング部310と第二の変換部313により行えばよい。あるいは、入力側観察条件303とソースデバイス特性302に基づき、被調整色（JCh値）を入力色空間の信号値に変換してもよい。また、第三の変換部102、第二の変換部313は、順変換部103、逆変換部311を含まない構成とすることで、被調整色を知覚値ではなくデバイス非依存のデータ（例えば、XYZやLab値）で指定することが可能となる。
【００５４】
また、生成情報301がデスティネーションデバイス特性306や出力側観察条件305を含む例を説明した。しかし、少なくとも第三の変換部102と第二の変換部313を作成するための情報（例えば、デスティネーションデバイスの色信号と知覚色の対応関係を示すデータ）を、生成情報301が含めばよい。
【００５５】
このように、入力色空間の値で表された被調整色と影響範囲、知覚色空間の値で表された調整量を含む調整指示を入力し、カラープロファイル201を生成した際の生成情報301を用いて、カラープロファイル201の調整を行う。従って、ユーザは、デスティネーションデバイスの特性を意識することなく、直感的に理解し易い色調整を行うことができ、意図や好みを反映したカラープロファイルを容易に生成することが可能になる。
【００５６】
［他の実施例］
なお、本発明は、複数の機器（例えばコンピュータ、インタフェイス機器、リーダ、プリンタなど）から構成されるシステムに適用しても、一つの機器からなる装置（例えば、複写機、ファクシミリ装置、制御装置など）に適用してもよい。
【００５７】
また、本発明の目的は、上記実施例の機能を実現するコンピュータプログラムを記録した記録媒体または記憶媒体をシステムまたは装置に供給する。そして、そのシステムまたは装置のコンピュータ（CPUやMPU）が前記コンピュータプログラムを実行することでも達成される。この場合、記録媒体から読み出されたソフトウェア自体が上記実施例の機能を実現することになり、そのコンピュータプログラムと、そのコンピュータプログラムを記憶する、コンピュータが読み取り可能な記録媒体は本発明を構成する。
【００５８】
また、前記コンピュータプログラムの実行により上記機能が実現されるだけではない。つまり、そのコンピュータプログラムの指示により、コンピュータ上で稼働するオペレーティングシステム(OS)および/または第一の、第二の、第三の、…プログラムなどが実際の処理の一部または全部を行い、それによって上記機能が実現される場合も含む。
【００５９】
また、前記コンピュータプログラムがコンピュータに接続された機能拡張カードやユニットなどのデバイスのメモリに書き込まれていてもよい。つまり、そのコンピュータプログラムの指示により、第一の、第二の、第三の、…デバイスのCPUなどが実際の処理の一部または全部を行い、それによって上記機能が実現される場合も含む。
【００６０】
本発明を前記記録媒体に適用する場合、その記録媒体には、先に説明したフローチャートに対応または関連するコンピュータプログラムが格納される。
【図面の簡単な説明】
【００６１】
【図１】色変換の概要を説明する図、
【図２】カラープロファイルを生成する処理の概要を示す図、
【図３】本実施例の色処理装置の構成例を示すブロック図、
【図４】色処理装置による色調整処理を説明するフローチャート、
【図５】UIに表示される生成情報の一例を示す図、
【図６】色処理処理の機能構成例を示すブロック図である。
【図１】
2010109754.tif 000003
【図２】
2010109754.tif 000004
【図３】
2010109754.tif 000005
【図４】
2010109754.tif 000006
【図５】
2010109754.tif 000007
【図６】
2010109754.tif 000008